(57)【要約】【課題】  撮像素子とレンズユニットをホルダに取り付ける構造を有する映像入力装置用の薄形のホルダを、回転コアを用いることなく、射出成形により安価に製造する。【解決手段】  レンズユニット８の鏡筒部の外周面に案内溝４５を形成するとともに、この案内溝４５の一部から鏡筒端部につづく空隙部４６を設け、ホルダ６のレンズガイド部６１の内周面に、記空隙部４６が通過可能であり、かつ、案内溝４５に係合する係合部４３を形成するようにした。【選択図】        図５
2005143147.tif 000002
【特許請求の範囲】
【請求項１】
レンズから採光した映像を電気信号に変換する撮像素子と、前記レンズを保持するレンズユニットと、前記撮像素子を位置決め固定し、前記レンズユニットを保持するレンズガイド部を形成したホルダを具備する映像入力装置において、
前記レンズユニットの鏡筒部の外周面に案内溝を形成し、かつ、前記案内溝の一部から鏡筒端部につづく空隙部を設け、前記レンズガイド部に前記空隙部が通過可能であり、かつ、前記案内溝に係合する係合部を設けたことを特徴とする映像入力装置。
【発明の詳細な説明】
【技術分野】
【０００１】
この発明はレンズから採光した映像を撮像素子によって電気信号に変換し、カード式メモリ等の記録媒体に映像信号を記録するディジタルスチルカメラ等の映像入力装置に関する。
【背景技術】
【０００２】
図８（ａ）は、例えば特開平９−６１９２１号公報に記された従来の映像入力装置を示す断面図である。図において、１は箱体の下蓋、２は下蓋１に対向して設けられた箱体の上蓋、３は上蓋２に設けられたヒンジ、４は下蓋１に回動自在に設けられたアーム、５はアーム４に取り付けられた撮像素子、６は撮像素子５を内部に位置決め保持したホルダ、７は下蓋１に回動自在に設けられたアーム、８はアーム７に固定されたレンズユニット、９は撮像素子の後方に設けられた記録媒体である。
【０００３】
次に従来の映像入力装置の動作について説明する。図８（ｂ）は、従来の映像入力装置の使用時の状態を示す断面図であり、映像入力装置を用いて被写体（図示せず）を撮影する場合、まず、図８（ａ）の状態から上蓋２を外側（矢印Ａ方向）に引くと、上蓋２はヒンジ３を中心に回動して上蓋２とアーム４の間に両端が回動自在に連結されたリンク１０によって撮像素子５の向きが約９０度変化し、同時に、アーム４とアーム７の間に両端が回動自在に連結されたリンク１１によってレンズユニット８も約９０度向きが変化してレンズユニット８の光軸の後方に撮像素子５が配置され、撮影可能な状態になる。非使用時は、上蓋２を内側（矢印Ａの反対方向）に回動させると、図８（ａ）の状態に収納されて装置の高さが薄くなる。
【０００４】
【特許文献１】特開平９−６１９２１号公報
【発明の開示】
【発明が解決しようとする課題】
【０００５】
上記のような従来の映像入力装置では、携帯時に装置を薄くするために、複数のアーム、およびリンクを用いているので、部品点数が多く、装置が複雑になりコスト高となる問題点があった。
【課題を解決するための手段】
【０００６】
この発明に係る映像入力装置は、レンズから採光した映像を電気信号に変換する撮像素子と、前記レンズを保持するレンズユニットと、前記撮像素子を位置決め固定し、前記レンズユニットを保持するレンズガイド部を形成したホルダを具備し、
前記レンズユニットの鏡筒部の外周面に形成された案内溝、およびこの案内溝の一部から鏡筒端部につづく空隙部を設けるとともに、前記鏡筒部が挿入されるレンズガイド部の内周面に形成され、前記空隙部が通過可能であり、かつ、通って前記案内溝に係合する係合部を設けたものである。
【発明の効果】
【０００７】
この発明は、レンズユニットの鏡筒部の外周面に案内溝を形成するとともに、この案内溝の一部から鏡筒端部につづく空隙部を設け、前記鏡筒部が挿入されるレンズガイド部の内周面に、前記空隙部が通過可能であり、かつ、前記案内溝に係合する係合部を形成したので、回転コアを用いることなく、ホルダの射出成形が可能になり、ホルダの製造コストを削減できる効果がある。
【発明を実施するための最良の形態】
【０００８】
実施の形態１．
図１はこの発明の実施の形態１である映像入力装置を示す断面図である。図において、１は装置の下蓋、２は上蓋、５は装置内部に設けられ、採光した光を電気信号に変換する撮像素子、６は撮像素子５を内部に位置決め固定し、レンズユニット８を保持するホルダ、８はホルダ６に鏡筒部を保持され、接着固定されたレンズユニット、２０は装置内部に設けられたシャーシで、下蓋１と上蓋２が、下蓋１の係合部２１と上蓋２の係合部２２、およびねじ２３で固定されている。２４はシャーシ２０にねじ２５によって固定された第１の回路基板で、撮像素子５、および撮像素子５の駆動回路が実装されている。２６はシャーシ２０にねじ２５によって固定された第２の回路基板、２６ａはレンズユニット８が挿通される切り欠き部、２７は第２の回路基板２６に実装されたメモリーコネクタ、２８はメモリーコネクタ２７の外周に設けられたシールド材で、第２の回路基板２６のグランドパターン（図示せず）の一部に、半田付けによって接地されている。２９は第２の回路基板２６に着脱可能に装着されたカード状の記録媒体、３０，３１はそれぞれ第１の回路基板２４と第２の回路基板２６に実装され、相互いに接合された接続コネクタである。
【０００９】
図２は図１中のII−II線矢視断面図で、３２はシャーシ２０と一体に形成された当接部で、メモリーコネクタ２７の後端部に当接する。３３はシャーシ２０にその周囲がガイドされ、撮像素子５の近傍に配置された光学ファインダ、３４はコの字形の吊下金具で、その両端部がシャーシ２０に形成された穴３５，３６に挿通されている。
【００１０】
図３は図２中のIII −III 線矢視断面図で、３７は光学ファインダ３３の外周面の一部に形成された凹部、３８はシャーシ２０の一部に形成され、凹部３７に係合して光学ファインダ３３を固定する弾性係合部、３９は大容量のコンデンサ等の電子部品で、レンズユニット８と光学ファインダ３３の間の第２の回路基板２６面上に実装されている。
【００１１】
図４（ａ）および図４（ｂ）は図２中のIV−IV線矢視断面図である。図において、４０は吊下金具３４の一端を直角より若干開いたコの字形に折曲げて形成された端部、４１は端部４０の反対側に形成され、端部４０より若干短く形成された端部、４２は上蓋２をねじ２３でシャーシ２０に取り付けたあと、吊下金具３４に取り付けられた吊紐である。
【００１２】
図５はレンズユニット８とそのホルダ６の構成を示す部分拡大断面図である。図において、４３はホルダ６の一部に形成された係合部、４４は係合部４３に隣接して形成された空隙部、４５はレンズユニット８の外周に螺旋状に形成された案内溝である。
【００１３】
図６は図５中のVI−VI線矢視断面図である。図において、４６はレンズユニット８の後端から案内溝４５の間に形成された空隙部である。
【００１４】
図７はホルダ６を射出成形によって形成する金型の断面図である。図において、４７は金型のコア、４８は金型のキャビティ、４９はスライドコアである。
【００１５】
つぎに、実施の形態１の動作について説明する。
図１において、レンズユニット８から採光された被写体の映像は撮像素子５に結像され、第１の回路基板２４に実装された撮像素子駆動回路（図示せず）によって電気信号に置き換えられる。この信号は接続コネクタ３０，３１を介して第２の回路基板２６に伝送されてディジタル信号処理回路（図示せず）によって処理され、メモリーコネクタ２７を介してＲＡＭ等のＩＣが内蔵された記録媒体２９に記録される。このとき、第１の回路基板２４ではアナログ信号処理がなされ、一方、第２の回路基板２６ではディジタル信号処理が行われるが、シールド材２８が第２の回路基板２６に接地されているため、互いの信号処理のノイズ干渉は緩和される。このため撮像素子５と第２の回路基板２６を近接して配置しても、電気的性能は劣化しない。
【００１６】
また、第２の回路基板２６にはレンズユニット８が挿通しうる切り欠き部２６ａが設けてあるので、第２の回路基板２６をレンズユニット８の最先端よりも第１の回路基板２４に近接した位置に配置でき、レンズユニット８の近傍以外の箱体を薄くでき、また、第２の回路基板２６に実装される大容量のコンデンサなどの比較的容積の大きい電子部品３９は、光学ファインダ３３とレンズユニット８の間に配置することによって有効な空間利用が可能になり、装置の小形化が図れる。
【００１７】
また、シャーシ２０に第１の回路基板２４、および第２の回路基板２６をねじ２５を用いて固定し、その後に光学ファインダ３３を図３の矢印Ｅ方向から挿入し、弾性係合部３８が凹部３７に係合するように第２の回路基板２６に当接させてシャーシ２０に固定しているので、第２の回路基板２６は光学ファインダ３３で位置決め固定され、第２の回路基板２６を固定するねじ２５の本数を削減できる。また、光学ファインダ３３の固定には、ねじ等の締結部品を用いていないので、部品点数が削減できるとともに、組み立てが容易になる。
【００１８】
また、記録媒体２９をメモリーコネクタ２７に装着するとき、記録媒体２９を図２の矢印Ｈ方向から挿入する。このとき、メモリーコネクタ２７が実装されている第２の回路基板２６には、記録媒体２９とメモリーコネクタ２７の挿入摩擦力等により矢印Ｈ方向に応力が加わるが、当接部３２がメモリーコネクタ２７の後端面に当接しているため、この応力は当接部３２と一体に形成されているシャーシ２０が受け止め、第２の回路基板２６に加わる応力が緩和されるので、第２の回路基板２６に断線等が生じる危険性が少なくなる。
【００１９】
また、図４（ａ），（ｂ）は、シャーシ２０に吊下金具３４を組み立てる手順を示す図で、まず、図４（ａ）に示すように、吊下金具３４の一方の端部４０の先端部を穴３５内に挿入して矢印Ｆ方向に押すと、端部４０は若干内側にたわみ、他方の端部４１が穴３６に臨む状態になる。つぎに吊下金具３４を矢印Ｇ方向に押して端部４１を穴３６内に挿入する。図４（ｂ）はこの状態を示しており、ばね材で形成された吊下金具３４の端部４０，４１の付勢力が穴３５，３６の外側に向かって作用する。このため、上蓋２をシャーシ２０に固定したのち装置を振っても、吊下金具３４は穴３５，３６内でがたつかず、吊下金具３４と上蓋２が衝突しても振動音を発生しない。また、図４（ｂ）に示すように、吊下金具３４に吊紐４２を挿通して取り付け、装置の携帯時に吊紐４２を手で持っても吊下金具３４はシャーシ２０に固定された上蓋２の内側に当接しているので、吊下金具３４が装置から脱落しない。
【００２０】
また、レンズユニット８をホルダ６に組み立てるとき、まず図６に示すように、ホルダ６の係合部４３がレンズユニット８の空隙部４６を通過する向きに合わせてレンズユニット８をホルダ６の円筒形状のレンズガイド部６１に挿通する。次に図５に示すように、レンズユニット８を回転させると、案内溝４５と係合部４３の係合によってレンズユニット８は矢印Ｊ方向に微小距離移動する。このようにしてレンズの焦点を撮像素子５の結像面に合わせたのち、接着剤（図示せず）等によりレンズユニット８とホルダ６を固定する。従来、レンズユニットの外周、およびホルダの内周には、それぞれ雄ねじと雌ねじが形成されていたが、この場合ホルダの内周の雌ねじを形成する場合ホルダの金型には回転コアが必要で、金型コストが高価であったが、図７に示すように、係合部４３の後方に空隙部４４を形成するスライドコア４９を挿入することで、ホルダ６の射出成形が可能になる。
【図面の簡単な説明】
【００２１】
【図１】この発明の実施の形態１である映像入力装置の断面図である。
【図２】図１中のII−II線矢視断面図である。
【図３】図２中のIII −III 線矢視断面図である。
【図４】図２中のIV−IV線矢視断面図である。
【図５】実施の形態１のレンズユニットとそのホルダの構成を示す部分拡大断面図である。
【図６】図５中のVI−VI線矢視断面図である。
【図７】実施の形態１のホルダの成形金型の断面図である。
【図８】従来の映像入力装置を示す断面図である。
【符号の説明】
【００２２】
５  撮像素子、６  レンズホルダ、２０  シャーシ、２４  第１の回路基板、  ２６  第２の回路基板、２６ａ  切り欠き部、２７  メモリーコネクタ、２８  シールド材、２９  記録媒体、３０，３１  電子部品、３２  当接部、３３  光学ファインダ、３４  吊下金具、３８  弾性係合部、３９  電子部品、４２  吊紐、４３  係合部、４４  空隙部、４５  案内溝、６１  レンズガイド部。
【図１】
2005143147.tif 000003
【図２】
2005143147.tif 000004
【図３】
2005143147.tif 000005
【図４】
2005143147.tif 000006
【図５】
2005143147.tif 000007
【図６】
2005143147.tif 000008
【図７】
2005143147.tif 000009
【図８】
2005143147.tif 000010